(57)【要約】【課題】カップ列同士のくっつきを防止でき、それにより、カップ列のカップを安定して供給することができ、また、新たに補充されるカップ列のカップも安定して供給することができるカップ飲料提供装置のカップ供給装置を提供する。【解決手段】カップ列がセットされるカップ列セット部７と、通路１４内に第１および第２カップ列Ｙ１、Ｙ２を収納する予備カップ列収納部８と、待機位置と搬送位置の間で移動自在の搬送部２２と、を備え、搬送部２２は、支持部２４と、支持部２４に突出位置と退避位置の間で回動自在に設けられた右押圧部材２５と、支持部２４に一体に設けられた左押圧部材２６と、を有し、右押圧部材２５を突出位置側に付勢する付勢手段２８と、搬送部２２を搬送位置に駆動することにより、第１または第２カップ列Ｙ１、Ｙ２をカップ列セット部７にセットした後、搬送部２２を待機位置に駆動し、復帰させる駆動手段２３と、をさらに備えている。【選択図】図２
2008176525.tif 000002
【特許請求の範囲】
【請求項１】
各々が積み重なった状態の複数のカップから成る複数のカップ列を収納するとともに、飲料の提供時にカップを供給するカップ飲料提供装置のカップ供給装置であって、
カップを供給するためにカップ列がセットされるカップ列セット部と、
このカップ列セット部に連なる通路を有し、当該通路内に第１および第２のカップ列を前記カップ列セット部側から順に載置した状態で収納するカップ列収納部と、
所定の待機位置と、前記第１または第２のカップ列を前記カップ列セット部にセットするための搬送位置との間で、前記通路に沿って移動自在の搬送部と、
を備え、
前記搬送部は、
前記通路に沿って延びる支持部と、
この支持部の前記カップ列セット部に近い部位に、前記通路に突出する突出位置と、当該通路から退避する退避位置との間で回動自在に設けられ、前記第１のカップ列を押圧するための第１の押圧部材と、
前記支持部の前記カップ列セット部から遠い部位に、前記通路に突出するように一体に設けられ、前記突出位置に位置する前記第１の押圧部材との間に前記第２のカップ列を収納するとともに、当該第２のカップ列を押圧するための第２の押圧部材と、を有し、
前記第１の押圧部材を前記突出位置側に付勢する付勢手段と、
前記搬送部を前記搬送位置に駆動することにより、前記第１または第２のカップ列を前記カップ列セット部にセットし、その後、前記搬送部を前記待機位置に駆動し、復帰させる駆動手段と、
をさらに備えていることを特徴とするカップ飲料提供装置のカップ供給装置。
【請求項２】
前記第１のカップ列を前記カップ列セット部にセットした後、前記搬送部が前記待機位置に復帰する際に、前記第２のカップ列を、前記カップ列セット部付近の所定位置に停止させ、保持するストッパを、さらに備えていることを特徴とする請求項１に記載のカップ飲料提供装置のカップ供給装置。
【請求項３】
前記ストッパは、前記カップ列収納部の前記通路に突出し、前記第２のカップ列の移動を阻止するための阻止位置と、当該通路から退避し、前記第２のカップ列の移動を許容するための許容位置との間で出没自在のストッパ部材と、
このストッパ部材を前記阻止位置側に付勢するばねと、
を有していることを特徴とする請求項２に記載のカップ飲料提供装置のカップ供給装置。
【発明の詳細な説明】
【技術分野】
【０００１】
本発明は、カップ式の飲料自動販売機や飲料ディスペンサなどのカップ飲料提供装置に内蔵され、飲料の提供時にカップを供給するカップ供給装置に関する。
【背景技術】
【０００２】
従来、この種のカップ供給装置として、特許文献１に開示されたものが知られている。このカップ供給装置は、カップ式自動販売機に内蔵されており、カップを収納するカップ収納器と、このカップ収納器の底部に設けられ、販売時にカップを１つずつ下方に搬出するカップ搬出装置とを備えている。カップ収納器は、ボックス状に形成されており、その内部には、多数のカップが積み重なった状態の複数のカップ列が、互いに隣接した状態で、一列に並ぶように収納される。また、カップ収納器内には、上下方向に延びるカップ押し板がカップ列の並び方向に移動自在に設けられている。このカップ押し板は、ばねの付勢力によってカップ搬出装置側に移動しながら、カップ列を後ろ側から押圧し、それにより、カップ列全体をカップ搬出装置側に搬送する。
【０００３】
一方、カップ搬出装置は、通常、平面形状がリング状のカップドロップリングを有している。販売用のカップ列（以下「販売カップ列」という）は、その下部がカップドロップリングの内側の開口部に挿通した状態でセットされる。そして、販売時に、カップドロップリングによって、販売カップ列の最下位のカップが上側のカップから切り離され、下方に搬出される。
【０００４】
このカップ供給装置では、飲料の販売が進み、カップドロップリングにセットされていた販売カップ列が無くなると、カップ収納器内の複数の予備用のカップ列（以下「予備カップ列」という）が、カップ押し板で後ろ側から押圧されることによって移動する。具体的には、複数の予備カップ列のうちの最後尾のカップ列がカップ押し板で押圧されるとともに、他の予備カップ列が自身の直ぐ後ろの予備カップ列で押圧され、それにより、複数の予備カップ列全体が、カップ搬出装置側に移動する。そして、カップ搬出装置に最も近い予備カップ列が、カップドロップリングの開口部に案内されながら落下し、カップドロップリングにセットされる。これにより、その予備カップ列は、販売カップ列として、カップ搬出装置に補充される。
【０００５】
このように、従来のカップ供給装置では、カップ搬出装置への予備カップ列の補充の際に、最後尾の予備カップ列以外は、カップ列を後ろ側のカップ列で押圧する。そのため、カップ列同士が、カップの開口周縁部のカール部でかみ合い、くっついてしまうことがある。この場合には、カップ搬出装置に補充すべき予備カップ列がカップドロップリングの開口部に落下できず、その結果、カップの供給不良が生じてしまう。
【０００６】
本発明は、以上のような課題を解決するためになされたものであり、カップ列同士のくっつきを防止でき、それにより、カップ列のカップを安定して供給することができ、また、新たに補充されるカップ列のカップも安定して供給することができるカップ飲料提供装置のカップ供給装置を提供することを目的とする。
【０００７】
【特許文献１】特開平７−１７５９６７号公報
【発明の開示】
【課題を解決するための手段】
【０００８】
上記の目的を達成するために、請求項１に係る発明は、各々が積み重なった状態の複数のカップから成る複数のカップ列を収納するとともに、飲料の提供時にカップを供給するカップ飲料提供装置のカップ供給装置であって、カップを供給するためにカップ列がセットされるカップ列セット部と、このカップ列セット部に連なる通路を有し、通路内に第１および第２のカップ列をカップ列セット部側から順に載置した状態で収納するカップ列収納部と、所定の待機位置と、第１または第２のカップ列をカップ列セット部にセットするための搬送位置との間で、通路に沿って移動自在の搬送部と、を備え、搬送部は、通路に沿って延びる支持部と、この支持部のカップ列セット部に近い部位に、通路に突出する突出位置と、通路から退避する退避位置との間で回動自在に設けられ、第１のカップ列を押圧するための第１の押圧部材と、支持部のカップ列セット部から遠い部位に、通路に突出するように一体に設けられ、突出位置に位置する第１の押圧部材との間に第２のカップ列を収納するとともに、第２のカップ列を押圧するための第２の押圧部材と、を有し、第１の押圧部材を突出位置側に付勢する付勢手段と、搬送部を搬送位置に駆動することにより、第１または第２のカップ列をカップ列セット部にセットし、その後、搬送部を待機位置に駆動し、復帰させる駆動手段と、をさらに備えていることを特徴とする。
【０００９】
この構成によれば、カップ列セット部に連なる通路を有するカップ列収納部に、第１および第２のカップ列がカップ列セット部側から順に載置した状態で収納される。また、通路には、所定の待機位置と、第１または第２のカップ列をカップ列セット部にセットするための搬送位置との間で、通路に沿って移動自在の搬送部が設けられている。この搬送部は、通路に沿って延びる支持部のカップ列セット部に近い部位に設けられ、第１のカップ列を押圧するための第１の押圧部材、および支持部のカップ列セット部から遠い部位に設けられ、第２のカップ列を押圧するための第２の押圧部材を有している。第１の押圧部材は、支持部に上記突出位置と退避位置の間で回動自在に設けられ、付勢手段によって、突出位置側に付勢されている。一方、第２の押圧部材は、通路に突出するように、支持部に一体に設けられ、突出位置に位置する第１押圧部材との間に第２のカップ列が収納される。そして、駆動手段により、搬送部が搬送位置に駆動されることによって、第１または第２のカップ列がカップ列セット部にセットされ、その後、搬送部が待機位置に復帰する。
【００１０】
具体的には、第１のカップ列をカップ列セット部にセットする場合、搬送部が駆動され、搬送位置に向かって移動すると、第１のカップ列が第１の押圧部材で押圧されながら移動するとともに、第２のカップ列が第２の押圧部材で押圧されながら移動する。そして、搬送部が、第１のカップ列をカップ列セット部にセットする搬送位置に到達することにより、第１のカップ列がカップ列セット部にセットされる。このように、第１および第２のカップ列の間には、第１の押圧部材が配置され、この第１の押圧部材によって第１のカップ列が押圧されるので、カップ列でカップ列を押圧する従来と異なり、第１および第２のカップ列がくっついてしまうことを防止することができる。それにより、第１のカップ列をカップ列セット部に確実にセットでき、その結果、カップを安定して供給することができる。なお、カップ列セット部への第１のカップ列のセット後、搬送部が待機位置に移動する際には、第２のカップ列は、第１および第２の押圧部材の間に収納された状態のまま、搬送部とともに待機位置に戻る。
【００１１】
また、飲料の提供が進むことにより、カップ列セット部にセットされていた第１のカップ列が無くなり、第２のカップ列をカップ列セット部にセットする場合、第１のカップ列をセットする場合と同様に、搬送部が駆動され、搬送位置に向かって移動する。この場合、第２のカップ列は、第２の押圧部材で押圧されながら移動する。そして、搬送部が、第２のカップ列をカップ列セット部にセットする搬送位置に到達することにより、第２のカップ列がカップ列セット部にセットされる。その後、搬送部が待機位置に移動する際に、搬送部の第１の押圧部材が、カップ列セット部にセットされている第２のカップ列により、付勢手段の付勢力に抗して、退避位置側に押し広げられ、それにより、第２のカップ列は、第１および第２の押圧部材間から解放される。そして、搬送部がさらに移動し、待機位置に復帰する。また、この場合には、カップ列収納部にカップ列がまったく存在しない状態となり、したがって、カップ列収納部に新たな第１および第２のカップ列が補充された場合には、それらのカップ列が、上記と同様にして、カップ列セット部に順にセットされる。以上のように、本発明のカップ供給装置によれば、第１および第２のカップ列を、カップ列セット部に順にセットできるとともに、その後にカップ列収納部に新たに補充される第１および第２のカップ列も、カップ列セット部に順にセットすることができる。その結果、新たに補充されるカップ列のカップも、安定して供給することができる。
【００１２】
請求項２に係る発明は、請求項１に記載のカップ飲料提供装置のカップ供給装置において、第１のカップ列をカップ列セット部にセットした後、搬送部が待機位置に復帰する際に、第２のカップ列を、カップ列セット部付近の所定位置に停止させ、保持するストッパを、さらに備えていることを特徴とする。
【００１３】
この構成によれば、第１のカップ列をカップ列セット部にセットした後、搬送部が待機位置に復帰する際に、ストッパが、第２のカップ列をカップ列セット部付近の所定位置に停止させる。この場合、搬送部が待機位置に移動する際に、搬送部の第１の押圧部材が、ストッパで止められた第２のカップ列により、付勢手段の付勢力に抗して、退避位置側に押し広げられ、それにより、第２のカップ列は、第１および第２の押圧部材間から解放される。そして、搬送部がさらに移動し、待機位置に復帰する。その後、飲料の提供が進むことにより、カップ列セット部にセットされていた第１のカップ列が無くなり、カップ列セット部の付近に位置する第２のカップ列をカップ列セット部にセットする場合、第１のカップ列をセットする場合と同様に、搬送部が駆動され、搬送位置に向かって移動する。この場合、第２のカップ列は、第１の押圧部材で押圧されながら移動し、カップ列セット部にセットされる。その後、搬送部が待機位置に復帰する。
【００１４】
また、カップ列セット部の付近に第２のカップ列が位置するとともに、搬送部が待機位置に位置するときには、搬送部の第１および第２の押圧部材の間にカップ列がまったく存在しない状態となる。この状態において、カップ列収納部に新たなカップ列を補充しようとする場合には、第１および第２の押圧部材の間にのみ、補充される。そして、新たに補充されるカップ列は、すでに収納されている上記第２のカップ列の後で、カップ列セット部にセットされる。したがって、本発明のカップ供給装置によれば、先に補充されたカップ列を後から補充されたカップ列よりも先に、カップ列セット部にセットでき、それにより、いわゆる先入れ先出しによるカップの供給を行うことができる。
【００１５】
請求項３に係る発明は、請求項２に記載のカップ飲料提供装置のカップ供給装置において、ストッパは、カップ列収納部の通路に突出し、第２のカップ列の移動を阻止するための阻止位置と、通路から退避し、第２のカップ列の移動を許容するための許容位置との間で出没自在のストッパ部材と、このストッパ部材を阻止位置側に付勢するばねと、を有していることを特徴とする。
【００１６】
この構成によれば、ストッパが、上記阻止位置と許容位置の間で通路に出没自在のストッパ部材を有し、このストッパ部材が、ばねによって阻止位置側に付勢されている。したがって、ストッパ部材を付勢するばねの付勢力、および第１の押圧部材を突出位置側に付勢する付勢手段の付勢力を適切に設定することにより、搬送部が待機位置に復帰する際に、第２のカップ列をカップ列セット部付近の所定位置に停止させるストッパを、簡単な構成で容易に実現することができる。
【発明を実施するための最良の形態】
【００１７】
以下、図面を参照しながら、本発明の好ましい実施形態を詳細に説明する。図１は、本発明の一実施形態によるカップ供給装置を示している。このカップ供給装置１は、カップ式自動販売機（図示せず）に内蔵され、自動販売機内で調理されたコーヒーやジュースなどの飲料が注がれるカップを、自動販売機内でカップを搬送する搬送装置や販売口（いずれも図示せず）などに供給するものである。
【００１８】
図１に示すように、カップ供給装置１は、多数のカップＣを収納するカップ収納器２と、このカップ収納器２の底部に設けられ、販売時にカップＣを１つずつ下方に搬出するカップ搬出装置３と、これらを制御するマイクロコンピュータを有する制御装置（図示せず）などで構成されている。なお、カップ搬出装置３から搬出されたカップＣは、上記搬送装置のカップホルダに直接、供給されたり、搬出装置３から販売口に延びるカップシュートを介して、販売口に供給されたりする。
【００１９】
カップ収納器２は、前面が開放した縦長ボックス状のケース４を有しており、その前面に開閉自在の前面ドア５が取り付けられている。また、図２に示すように、ケース４内には、ケース４内を前後に仕切る中板６が設けられている。そして、ケース４内の中板６の前方には、販売用のカップ列（以下「販売カップ列Ｈ」という）、および２つの予備用のカップ列（以下「予備カップ列Ｙ」という）の計３つのカップ列が左右方向に一直線に並んだ状態で収納される。具体的には、ケース４内の右部には、販売カップ列Ｈをセットするためのカップ列セット部７が設けられ、ケース４内の中央部および左部には、２つの予備カップ列Ｙ、Ｙを収納するための予備カップ列収納部８（カップ列収納部）が設けられている。
【００２０】
ケース４のカップ列セット部７の底部には、上下方向に貫通し、カップＣの外径よりも一回り大きい径を有する開口部７ａが設けられている。また、ケース４内の底面には、開口部７ａの前側に、前上がりに若干傾斜するガイドプレート９が取り付けられている。さらに、ケース４の開口部７ａの下側には、販売カップ列Ｈを下方のカップ搬出装置３に案内するためのカップ列シュート１０が設けられている。そして、販売カップ列Ｈは、開口部７ａおよびカップ列シュート１０に挿通した状態で、カップ列セット部７にセットされるとともに、最下位のカップ（以下「販売カップ」という）Ｃがカップ搬出装置３にセットされる。
【００２１】
このカップ搬出装置３は、販売カップＣを切り離すためのカップドロップリング１１と、これを駆動する駆動機構１２とを備えている。カップドロップリング１１は、平面形状がリング状に形成されており、その内側の開口部がカップ列セット部７の開口部７ａおよびカップ列シュート１０に合致するように配置されている。また、カップドロップリング１１の内周縁部には、内方に臨むとともに周面に所定形状のカムを有する複数のカップ切離しカム（図示せず）が回転自在に設けられている。販売時には、それらのカップ切離しカムが、駆動機構１２によって同期して所定角度、回転し、販売カップＣがその上側のカップＣから切り離され、下方に搬出される。
【００２２】
一方、ケース４内の予備カップ列収納部８の底部には、左右方向に延び、２つの予備カップ列Ｙ、Ｙを載置するカップ列載置台１３が設けられている。このカップ列載置台１３は、正面形状が横長の台形に形成され、右側面がカップ列セット部７の開口部７ａに向かって前下がりに傾斜している。また、カップ列載置台１３の前面縁部が、外方に若干突出するように形成されている。そして、このカップ列載置台１３上に、予備カップ列Ｙを載置した状態で左右方向に搬送するための搬送通路１４（通路）が画成されている。
【００２３】
また、ケース４内には、飲料の販売が進み、カップ列セット部７にセットされていた販売カップ列Ｈが無くなったときに、予備カップ列Ｙをカップ列セット部７に補充するために、予備カップ列Ｙを搬送するカップ列搬送装置２１が設けられている。このカップ列搬送装置２１は、中板６の前側に配置され、搬送通路１４に沿って左右方向に移動自在の搬送部２２と、中板６の後ろ側に配置され、搬送部２２を駆動する駆動機構２３（駆動手段）で構成されている。
【００２４】
搬送部２２は、左右方向に所定長さの横幅を有するとともに正面形状が矩形状の支持部材２４（支持部）と、この支持部材２４の右端部に回動自在に連結された右押圧部材２５（第１の押圧部材）と、支持部材２４の左端部に固定された左押圧部材２６（第２の押圧部材）とを有している。支持部材２４は、中板６の下部に左右方向に延びるように形成された開口部６ａを介して、駆動機構２３に連結されている。なお、上記開口部６ａには、左右方向に延びる目隠し板１５が取り付けられている。この目隠し板１５の背面には、搬送部２２を左右方向に案内するためのガイドレール（図示せず）などが設けられ、また、目隠し板１５によって、駆動機構２３の大部分が前方から見えないようになっている。
【００２５】
また、右押圧部材２５は、支持部材２４から前方の搬送通路１４に突出するとともに、支持部材２４に回動自在に連結されたアーム２５ａと、このアーム２５ａの前端部に設けられ、上下方向に延びる長尺の右押圧板２５ｂとを有している。一方、左押圧部材２６は、支持部材２４から搬送通路１４に突出するとともに、支持部材２４に固定されたアーム２６ａと、このアーム２６ａの前端部に設けられ、上記右押圧板２５ｂと同様に形成された左押圧板２６ｂとを有している。
【００２６】
図２（ａ）および図３に示すように、搬送部２２は、上記支持部材２４、右押圧部材２５および左押圧部材２６により、平面形状が前方に開放したコ字状に形成され、左右の押圧部材２５、２６間の距離が、カップＣの最大外径よりも若干長くなっている。また、右押圧部材２５は、上下方向に延びる回動軸２７ａを有するヒンジ２７を介して、支持部材２４に連結されており、搬送通路１４に突出する突出位置（図３の実線で示す位置）と、搬送通路１４から退避する退避位置（図３の二点差線で示す位置）との間で、回動可能になっている。また、ヒンジ２７の回動軸２７ａには、所定の付勢力を有するねじりコイルばね２８が取り付けられており、このねじりコイルばね２８により、右押圧部材２５が突出位置側に付勢されている。
【００２７】
搬送部２２を駆動する駆動機構２３の詳細な構造については省略するが、例えばモータ、ギヤボックス、駆動および従動プーリ、ならびにこれらのプーリに巻き掛けられたベルトなどで構成されている。モータが作動することにより、ギヤボックスを介して駆動プーリが回転し、それに伴い、ベルトも回転する。このベルトには、搬送部２２の支持部材２４が連結されており、したがって、モータが作動することにより、搬送部２２が左右方向に移動する。
【００２８】
また、中板６の背面側の所定位置には、搬送部２２が３つの所定位置に位置するか否かを検出するための３つのマイクロスイッチ（図示せず）が設けられている。具体的には、これらのマイクロスイッチは、搬送部２２が、ケース４内の左端部の待機位置（図２、図５（ａ）など参照）、ほぼ中央部の第１搬送位置（図５（ｃ）など参照）、および右端部の第２搬送位置（図７（ａ）参照）に位置するときに、それぞれＯＮ／ＯＦＦ切り替えされ、それにより、搬送部２２がそれらの位置に位置することが、制御装置によって判別される。
【００２９】
また、ケース４内には、中板６の上部の所定位置に、搬送通路１４に出没自在のストッパ３１が設けられている。このストッパ３１は、予備カップ列Ｙの後述する第２の搬送方法が実行される際に、左側の予備カップ列Ｙをカップ列セット部７付近の所定位置に停止させるためのものである。ストッパ３１は、中板６の上部の所定位置に設けられたストッパ開口部６ｂを介して、搬送通路１４に出没自在のストッパ部材３２と、このストッパ部材３２を付勢する板ばね３３（ばね）とで構成されている。図４に示すように、ストッパ部材３２は、正面形状がストッパ開口部６ｂよりも一回り小さい縦長矩形状に形成され、上半部に楔状の横断面を有している。そして、このストッパ部材３２は、同図（ｂ）に示すように、搬送通路１４側に突出し、予備カップ列Ｙの移動を阻止するための阻止位置（実線で示す位置）と、搬送通路１４から退避し、予備カップ列Ｙの移動を許容する許容位置（二点差線で示す位置）との間で、出没自在に構成されている。一方、板ばね３３は、所定の付勢力を有し、ストッパ部材３２を阻止位置側に付勢している。
【００３０】
さらに、中板６には、上記ストッパ３１から右方に所定距離、離れた位置に、ストッパ３１と同様に構成されたカップ列押さえ部３４が設けられている。このカップ列押さえ部３４は、右側の予備カップ列Ｙが右押圧部材２５で押圧されながら右方へ移動する際に、予備カップ列Ｙを右方から軽く押さえるとともに、その予備カップ列Ｙで押し込まれることで搬送通路１４から退避し、予備カップ列Ｙの通過を許容する。これにより、予備カップ列Ｙは、予備カップ列収納部８に収納されたときの姿勢を維持しながら、カップ列セット部７に搬送される。
【００３１】
以上のように構成されたカップ収納器２では、飲料の販売が進み、カップ列セット部７にセットされていた販売カップ列Ｈが無くなると、カップ列搬送装置２１が作動し、搬送部２２が搬送通路１４に沿って右方に移動することにより、予備カップ列Ｙをカップ列セット部７に補充する。
【００３２】
ここで、図５〜図９を参照しながら、予備カップ列Ｙをカップ列セット部７に補充するための予備カップ列Ｙの２つの搬送方法について説明する。なお、以下の説明では、左右２つの予備カップ列Ｙ、Ｙのうち、右側の予備カップ列Ｙを「第１カップ列Ｙ１」（第１のカップ列）と称呼し、左側の予備カップ列Ｙを「第２カップ列Ｙ２」（第２のカップ列）と称呼するものとする。
【００３３】
図５（ａ）は、搬送部２２が待機位置に位置する状態を示している。この状態からまず、同図（ｂ）に示すように、搬送部２２が、カップ列セット部７に向かって右方に移動する。この場合、第１および第２カップ列Ｙ１、Ｙ２はそれぞれ、右押圧部材２５および左押圧部材２６で押圧されながら、右方に移動する。なお、第１カップ列Ｙ１は、前述したように、カップ列押さえ部３４で押さえられることにより、姿勢を維持しながら、右方に移動する。そして、搬送部２２は、同図（ｃ）に示す第１搬送位置に達したときに停止する。この場合、第１カップ列Ｙ１は、カップ列載置台１３の右側面やガイドプレート９などによって、カップ列セット部７の開口部７ａに案内されながら落下し、この開口部７ａ、カップ列シュート１０およびカップドロップリング１１に挿通した状態で、カップセット部７にセットされる。なおこの場合、開口部７ａ付近に設けられたスイッチまたはセンサ（いずれも図示せず）により、第１カップ列Ｙ１がカップセット部７にセットされたことが検出される。
【００３４】
その後、搬送部２２は、左方に移動し、図６（ａ）に示すように、待機位置に復帰する。この搬送部２２では、ヒンジ２７のねじりコイルばね２８の付勢力が、ストッパ３１の板ばね３３のそれよりも強く設定されている。そのため、搬送部２２は、右押圧部材２５がほぼ突出位置に維持されたまま、左方に移動し、第２カップ列Ｙ２をストッパ３１で停止させることなく、右押圧部材２５で押圧しながら、待機位置に戻る。つまり、第２カップ列Ｙ２は、左右の押圧部材２５、２６間に収納された状態のまま、搬送部２２とともに待機位置に戻る。
【００３５】
次いで、飲料の販売が進み、図６（ｂ）に示すように、カップ列セット部７にセットされていた第１カップ列Ｙ１が無くなると、同図（ｃ）に示すように、搬送部２２が、カップ列セット部７に向かって右方に移動する。この場合、搬送部２２が第１搬送位置に達しても、カップ列セット部７にカップ列がセットされないことが、前記スイッチなどで検出されると、搬送部２２がさらに右方に移動する。そして、搬送部２２は、図７（ａ）に示す第２搬送位置に達したときに停止する。これにより、第２カップ列Ｙ２は、上記第１カップ列Ｙ１の補充時と同様に、カップ列セット部７の開口部７ａに案内されながら落下し、カップセット部７にセットされる。
【００３６】
その後、搬送部２２は、待機位置に復帰するために、左方に移動する。この場合、図７（ｂ）に示すように、搬送部２２の右押圧部材２５は、カップ列セット部７にセットされていることで前後左右に不動の第２カップ列Ｙ２により、ヒンジ２７のねじりコイルばね２８の付勢力に抗して、退避位置側に押し広げられる。それにより、第２カップ列Ｙ２は、搬送部２２の左右の押圧部材２５、２６の間から解放される。そして、搬送部２２がさらに左方に移動することにより、右押圧部材２５が第２カップ列Ｙ２から外れ、突出位置に復帰するとともに、図７（ｃ）に示すように、搬送部２２が待機位置に復帰する。以上により、第１の搬送方法による２つの予備カップ列Ｙ１、Ｙ２のカップセット部７への補充が終了する。
【００３７】
なお、この状態では、予備カップ列収納部８に予備カップ列Ｙがまったく存在しない状態となり、したがって、予備カップ列収納部８に新たな第１および第２カップ列Ｙ１、Ｙ２が補充された場合には、それらのカップ列Ｙ１、Ｙ２が、上記と同様にして、カップ列セット部７に順にセットされる。
【００３８】
また、上述した第１の搬送方法では、例えば、図６（ａ）に示す状態、すなわちカップ列セット部７の第１カップ列Ｙ１と、待機位置の搬送部２２内の第２カップ列Ｙ２との間に、カップ列が補充可能なスペースがある場合、そのスペースに新たなカップ列が補充されると、先に収納されている第２カップ列Ｙ２が、後から補充されたカップ列よりも後に販売されることになる。これを回避するための第２の搬送方法、すなわち、予備カップ列収納部８に先に補充された予備カップ列ＹのカップＣを先に販売するいわゆる先入れ先出しを行うための搬送方法を、図５、８および９を参照しながら説明する。
【００３９】
なお、この第２の搬送方法では、図５（ａ）〜（ｃ）に示す搬送部２２の動作は、上述した第１の搬送方法と同じである。また、この第２の搬送方法を実行するための搬送部２２では、第１の搬送方法の場合と異なり、ヒンジ２７のねじりコイルばね２８の付勢力が、ストッパ３１の板ばね３３のそれよりも弱く設定されている。
【００４０】
まず、図５（ａ）〜（ｃ）に示すように、待機位置に位置する搬送部２２が右方に移動し、第１カップ列Ｙ１をカップ列セット部７にセットする。その後、搬送部２２は、待機位置に復帰するために、左方に移動する。この場合、上述したように、ヒンジ２７のねじりコイルばね２８の付勢力が、ストッパ３１の板ばね３３のそれよりも弱く設定されているため、第２カップ列Ｙ２がストッパ３１によって、左方への移動が阻止される。それにより、図８（ａ）に示すように、搬送部２２の右押圧部材２５は、ストッパ３１で止められた第２カップ列Ｙ２により、ねじりコイルばね２８に抗して、退避位置側に押し広げられる。これにより、第２カップ列Ｙ２は、カップ列セット部７の付近に留まるとともに、搬送部２２の左右の押圧部材２５、２６間から解放される。そして、搬送部２２が左方にさらに移動することにより、右押圧部材２５が第２カップ列Ｙ２から外れ、突出位置に復帰するとともに、図８（ｂ）に示すように、搬送部２２が待機位置に復帰する。
【００４１】
その後、飲料の販売が進み、図８（ｃ）に示すように、カップ列セット部７にセットされていた第１カップ列Ｙ１が無くなると、図９（ａ）に示すように、搬送部２２が、カップ列セット部７に向かって右方に移動する。そして、第２カップ列Ｙ２が、右押圧部材２５で押圧されながら、右方に移動し、同図（ｂ）に示すように、カップ列セット部７にセットされる。その後、搬送部２２は、左方に移動し、同図（ｃ）に示すように、待機位置に復帰する。
【００４２】
この第２の搬送方法では、例えば、図８（ｂ）に示す状態、すなわちカップ列セット部７付近に第２カップ列Ｙ２が位置するとともに、搬送部２２が待機位置に位置するときには、左右の押圧部材２５、２６の間に予備カップ列Ｙがまったく存在しない状態となる。この状態において、予備カップ列収納部８に新たなカップ列を補充しようとする場合には、左右の押圧部材２５、２６の間にのみ、補充される。そして、新たに補充されるカップ列は、すでに収納されている第２カップ列Ｙ２の後で、カップ列セット部７にセットされる。したがって、この第２の搬送方法によれば、先に補充された予備カップ列Ｙを後から補充されたカップ列Ｙよりも先に、カップ列セット部７にセットでき、それにより、先入れ先出しによるカップＣの供給を行うことができる。
【００４３】
以上説明したように、本実施形態によれば、第１および第２カップ列Ｙ１、Ｙ２の間には、右押圧部材２５が配置され、この右押圧部材２５によって第１カップ列Ｙ１が押圧されるので、カップ列でカップ列を押圧する従来と異なり、第１および第２カップ列Ｙ１、Ｙ２がくっついてしまうことを防止することができる。それにより、第１カップ列Ｙ１をカップ列セット部７に確実にセットでき、その結果、カップＣを安定して供給することができる。また、第１および第２カップ列Ｙ１、Ｙ２を、カップ列セット部７に順にセットできるとともに、その後に予備カップ列収納部８に新たに補充される第１および第２カップ列も、カップ列セット部７に順にセットすることができる。その結果、新たに補充される予備カップ列ＹのカップＣも、安定して供給することができる。
【００４４】
なお、本発明は、説明した上記実施形態に限定されることなく、種々の態様で実施することができる。例えば、実施形態では、本発明のカップ供給装置をカップ式自動販売機に適用した例であるが、カップ式の飲料ディスペンサなど、他のカップ飲料提供装置に適用することも、もちろん可能である。また、実施形態で示したカップ収納器２やカップ列搬送装置２１の細部の構成などは、あくまで例示であり、本発明の趣旨の範囲内で適宜、変更することができる。
【図面の簡単な説明】
【００４５】
【図１】本発明の一実施形態によるカップ供給装置を示す斜視図であり、前面ドアを開放した状態を示す。
【図２】（ａ）はカップ供給装置の平面図、（ｂ）は正面図である。
【図３】搬送部を示す拡大平面図である。
【図４】ストッパおよびその周囲を示す図であり、（ａ）は正面図、（ｂ）は右側面図である。
【図５】カップ収納器内におけるカップ列の搬送方法を説明するための説明図である。
【図６】第１の搬送方法を説明するための図であり、図５に続く説明図である。
【図７】第１の搬送方法を説明するための図であり、図６に続く説明図である。
【図８】第２の搬送方法を説明するための図であり、図５に続く説明図である。
【図９】第２の搬送方法を説明するための図であり、図８に続く説明図である。
【符号の説明】
【００４６】
１    カップ供給装置
２    カップ収納器
３    カップ搬出装置
７    カップ列セット部
８    予備カップ列収納部（カップ列収納部）
１４    搬送通路（通路）
２１    カップ列搬送装置
２２    搬送部
２３    駆動機構（駆動手段）
２４    支持部材（支持部）
２５    右押圧部材（第１の押圧部材）
２６    左押圧部材（第２の押圧部材）
２７    ヒンジ
２８    ねじりコイルばね（付勢手段）
３１    ストッパ
３２    ストッパ部材
３３    板ばね（ばね）
Ｃ    カップ
Ｈ    販売カップ列
Ｙ    予備カップ列
Ｙ１  第１カップ列
Ｙ２  第２カップ列
【図１】
2008176525.tif 000003
【図２】
2008176525.tif 000004
【図３】
2008176525.tif 000005
【図４】
2008176525.tif 000006
【図５】
2008176525.tif 000007
【図６】
2008176525.tif 000008
【図７】
2008176525.tif 000009
【図８】
2008176525.tif 000010
【図９】
2008176525.tif 000011